(57)【要約】【課題】ブランケット又は刷版をより確実に固定できる固定装置を提供すること。【解決手段】輪転機において胴２０に巻き付けたブランケット１０又は刷版を固定するブランケット又は刷版の固定装置であって、胴２０に形成され、ブランケット又は刷版のくわえ側１１ａが引っ掛けられるとともに、くわえ尻側１１ｂが挿入される拘束溝２１と、ブランケット又は刷版のくわえ尻側１１ｂに形成若しくは装着された引っ掛け部３０と、引っ掛け部３０に引っ掛け若しくは固定され、ブランケット又は刷版のくわえ尻側１１ｂが拘束溝２１内に引き込まれる方向の力を引っ掛け部３０に付加する紐状体４０とを備える。【選択図】図１
0003153030.tif 000002
【実用新案登録請求の範囲】
【請求項１】
輪転機において胴に巻き付けたブランケット又は刷版を固定するブランケット又は刷版の固定装置であって、
前記胴に形成され、ブランケット又は刷版のくわえ側が引っ掛けられるとともに、くわえ尻側が挿入される拘束溝と、
ブランケット又は刷版のくわえ尻側に形成若しくは装着された引っ掛け部と、
前記引っ掛け部に引っ掛け若しくは固定され、ブランケット又は刷版のくわえ尻側が前記拘束溝内に引き込まれる方向の力を前記引っ掛け部に付加する紐状体とを備えたブランケット又は刷版の固定装置。
【請求項２】
前記引っ掛け部は、ブランケット又は刷版のくわえ尻側に突出して単数又は複数形成若しくは装着された請求項１に記載のブランケット又は刷版の固定装置。
【請求項３】
前記引っ掛け部は、ブランケット又は刷版のくわえ尻側に突出して形成若しくは装着され、かつその上面が、ブランケット又は刷版のくわえ尻側の長手方向の全長にわたって上に凸の円弧状に形成された請求項１に記載のブランケット又は刷版の固定装置。
【請求項４】
前記引っ掛け部は、ブランケット又は刷版のくわえ尻側に形成された複数の係合孔又は係合爪に引っ掛けることにより、ブランケット又は刷版のくわえ尻側の長手方向の全長にわたるように着脱可能に装着された請求項１に記載のブランケット又は刷版の固定装置。
【請求項５】
前記引っ掛け部は、ブランケット又は刷版のくわえ尻側の下端部を全長にわたって上方に折り曲げたものである請求項１に記載のブランケット又は刷版の固定装置。
【考案の詳細な説明】
【技術分野】
【０００１】
本考案は、輪転機において胴に巻き付けたブランケット又は刷版を固定するブランケット又は刷版の固定装置に関する。
【背景技術】
【０００２】
新聞などを印刷する輪転機においては、ブランケット胴に巻き付けたブランケットが、回転しながら版胴に巻き付けた刷版から転写されたインキを走行紙に転写することによって印刷を行っている。
【０００３】
従来、ブランケットや刷版をブランケット胴や版胴に巻き付けて固定する方式として、ブランケット胴や版胴に拘束溝を形成し、その拘束溝にブランケットや刷版のくわえ側を引っ掛けるとともに、くわえ尻側を固定する方式が知られている。そして、その固定を確実するための固定装置が特許文献１に開示されている。この特許文献１の固定装置は、ブランケットのくわえ側（先行端）及びくわえ尻側（後行端）を挿入した拘束溝（挿入溝）に圧入体を圧入することで、ブランケットのくわえ側及びくわえ尻側を拘束溝の壁面に押し付けて固定するものである。
【０００４】
しかし、圧入体を圧入するだけでは、ブランケットや刷版の固定は不十分であり、とくにブランケット胴や版胴をより高速で回転させる印刷条件では、ブランケットや刷版が緩んで印刷不良が発生することがあった。
【先行技術文献】
【特許文献】
【０００５】
【特許文献１】特開２００２−３２６３４１号公報
【考案の概要】
【考案が解決しようとする課題】
【０００６】
本考案が解決しようとする課題は、機構を簡素化するとともに胴の剛性を低下させることなく、ブランケット又は刷版をより確実に固定できる固定装置を提供することにある。
【課題を解決するための手段】
【０００７】
本考案の固定装置は、輪転機において胴に巻き付けたブランケット又は刷版を固定するブランケット又は刷版の固定装置であって、前記胴に形成され、ブランケット又は刷版のくわえ側が引っ掛けられるとともに、くわえ尻側が挿入される拘束溝と、ブランケット又は刷版のくわえ尻側に形成若しくは装着された引っ掛け部と、前記引っ掛け部に引っ掛け若しくは固定され、ブランケット又は刷版のくわえ尻側が前記拘束溝内に引き込まれる方向の力を前記引っ掛け部に付加する紐状体とを備えたものである。
【０００８】
なお、本考案において、「胴」とはブランケット胴及び版胴を総称するものである。
【考案の効果】
【０００９】
本考案によれば、ブランケット又は刷版のくわえ尻側に形成若しくは装着した引っ掛け部に紐状体を引っ掛け若しくは固定し、そのくわえ尻側が拘束溝内に引き込まれる方向の力を付加するので、機構を簡素化するとともに胴の剛性を低下させることなく、ブランケット又は刷版をより確実に固定できる。
【図面の簡単な説明】
【００１０】
【図１】本考案の第１実施例を示す断面図である。
【図２】本考案の第１実施例におけるブランケットのくわえ尻側の構成を示す。
【図３】本考案で使用する引張装置の一例を示し、（ａ）は平面図、（ｂ）は側面図、（ｃ）は斜視図である。
【図４】引張装置の他の例を示し、（ａ）は平面図、（ｂ）は側面図、（ｃ）は斜視図である。
【図５】本考案の第２実施例におけるブランケットのくわえ尻側の構成を示す。
【図６】本考案の第３実施例を示し、（ａ）はブランケットのくわえ尻側の構成を示し、（ｂ）は（ａ）のＡ−Ａ断面図である。
【図７】本考案の第４実施例を示す断面図である。
【図８】本考案の第４実施例におけるブランケットのくわえ尻側の構成を示す。
【図９】本考案の第４実施例におけるブランケットのくわえ尻側を示す。
【図１０】本考案の第４実施例における引っ掛け部の構成を示す。
【図１１】本考案の第５実施例を示す断面図である。
【考案を実施するための形態】
【００１１】
以下、図面に示す実施例に基づき本考案の実施の形態を説明する。
【実施例１】
【００１２】
図１は、本考案の第１実施例を示す断面図である。この実施例の固定装置はブランケット１０をブランケット胴２０に固定するものである。このブランケット胴２０には、２頁幅のブランケット１０が１枚だけ巻き付けられる。
【００１３】
ブランケット１０は、金属板１１の一面に、その両端部（くわえ側１１ａ及びくわえ尻側１１ｂ）を除いてゴム状のブランケットシート１２を被覆した、いわゆるメタルブランケットであり、そのくわえ側１１ａをブランケット胴２０に形成した拘束溝２１の壁面に引っ掛け、くわえ尻側１１ｂを拘束溝２１内に挿入することで、ブランケット胴２０に巻き付けられる。
【００１４】
図２は、ブランケット１０のくわえ尻側１１ｂの構成を示す。ブランケット１０のくわえ尻側１１ｂには、その長手方向の中央位置に引っ掛け部３０が突出して形成され、この引っ掛け部３０に紐状体４０が引っ掛けられている。そして、この紐状体４０が、くわえ尻側が拘束溝２１内に引き込まれる方向の力を引っ掛け部３０に付加する。そのために、本実施例では、紐状体４０は、その一端が固定され、他端が引張装置に接続されており、引張装置によって紐状体４０に張力を付加するようにしている。なお、紐状体４０の両端を引張装置に接続してもよい。
【００１５】
図３は、引張装置の一例を示し、（ａ）は平面図、（ｂ）は側面図、（ｃ）は斜視図である。同図に示す引張装置５０は、紐状体４０をドラム５１に巻き付けている。ドラム５１は架台５２に回転可能に支持されている。また、ドラム５１には六角ナットからなる操作部５３が固定されており、操作部５３に例えば六角レンチを嵌め込んで回転させることにより、ドラム５１を回転させるようにしている。ドラム５１を時計回りに回転させることで、紐状体４０がドラム５１に巻き取られ、紐状体４０に張力が付加される。
【００１６】
引張装置５０は、つめ５４とつめ車５５とからなるラチェット駆動機構を備えている。つめ車５５はドラム５１に固定されており、つめ５４がつめ車５５に噛み合っている状態では、つめ車５５及びドラム５１は、時計回り方向（紐状体４０を巻き取る方向）にのみ回転可能である。つめ５４とつめ車５５の噛み合いを解除すると、つめ車５５及びドラム５１はいずれの方向にも回転可能となり、紐状体４０への張力の付加を解除できる。
【００１７】
図４は、引張装置の他の例を示し、（ａ）は平面図、（ｂ）は側面図、（ｃ）は斜視図である。同図に示す引張装置６０では、一対の架台６１，６１間に、支持軸６２ａと支持スリーブ６２ｂとが一体化された支持部材６２が支持軸６２ａの軸線周りに回転可能に装着されている。なお、図４（ｃ）では一対の架台６１，６１のうち、一方を省略して示している。
【００１８】
支持部材６２には、支持軸６２ａの軸線方向と直交する方向に貫通孔６２ｃが開けられており、貫通孔６２ｃに作動部材６３が挿通されている。作動部材６３の先端に紐状体４０が固定されており、作動部材６３の外周面には雄ねじが形成されている。そして、作動部材６３の雄ねじにナット６４が、支持部材６２の支持スリーブ６２ｂと対向するように螺合されている。したがって、ナット６４を締め付ける方向に回転させると作動部材６３を介して紐状体４０に張力が付加され、ナット６４を緩める方向に回転させると、紐状体４０への張力の付加を解除できる。
【実施例２】
【００１９】
図５は、本考案の第２実施例におけるブランケットのくわえ尻側の構成を示す。第１実施例では、引っ掛け部３０をくわえ尻側１１ｂの長手方向の中央１箇所に突出して形成したが、本実施例では、対称な２箇所に突出して形成している。このように、引っ掛け部３０を対称に複数形成することで、くわえ尻側１１ｂの全体にわたって均一に、紐状体４０による力を付加することができる。
【００２０】
なお、上記の第１及び第２実施例において引っ掛け部３０はくわえ尻側１１ｂに形成したが、何らかの固定手段によってくわえ尻側１１ｂに装着するようにしてもよい。
【実施例３】
【００２１】
図６は本考案の第３実施例を示し、（ａ）はブランケットのくわえ尻側の構成を示し、（ｂ）は（ａ）のＡ−Ａ断面図である。
【００２２】
本実施例は、上面が上に凸の円弧状に形成された引っ掛け部３０をくわえ尻側１１ｂの長手方向の全長にわたって固定ピン７０によって装着したものである。このように、引っ掛け部３０をくわえ尻側１１ｂの長手方向の全長にわたって装着することで、くわえ尻側１１ｂの全体にわたってより均一に、紐状体４０による力を付加することができる。
【００２３】
なお、本実施例において引っ掛け部３０はくわえ尻側１１ｂに固定ピン７０によって装着したが、固定ピン７０を使用せずにくわえ尻側１１ｂに形成するようにしてもよい。
【実施例４】
【００２４】
図７は本考案の第４実施例を示す断面図である。また、図８は本考案の第４実施例におけるブランケットのくわえ尻側の構成を示す。
【００２５】
本実施例は、引っ掛け部３０をくわえ尻側１１ｂの長手方向の全長にわたるように着脱可能に装着したものである。具体的には、図９に示すようにくわえ尻側１１ｂには複数の係合孔１１ｃが開けられており、この係合孔１１ｃに、引っ掛け部３０の上端に形成した係合爪３１を引っ掛けることで、引っ掛け部３０がくわえ尻側１１ｂに着脱可能に装着される。
【００２６】
図１０に示すように、引っ掛け部３０の下端部は上方に向けて折り曲げられており、その折り曲げ部分に紐状体４０が引っ掛けられる。
【００２７】
本実施例によっても、くわえ尻側１１ｂの全体にわたってより均一に、紐状体４０による力を付加することができる。
【００２８】
なお、本実施例では、くわえ尻側１１ｂに係合孔を形成し、引っ掛け部３０に係合爪を形成したが、くわえ尻側１１ｂに係合爪を形成し、引っ掛け部３０に係合孔を形成してもよい。
【実施例５】
【００２９】
図１１は、本考案の第５実施例を示す断面図である。
【００３０】
本実施例は、くわえ尻側１１ｂの下端部を全長にわたって、上方に向けて折り曲げることで引っ掛け部３０を形成し、その引っ掛け部３０に紐状体４０を固定したものである。本実施例によっても、くわえ尻側１１ｂの全体にわたってより均一に、紐状体４０による力を付加することができる。
【００３１】
以上の実施例の図面では、２頁幅のブランケットをブランケット胴に１枚だけ巻き付ける例を示したが、本考案は、２頁幅のブランケットをブランケット胴の軸方向に沿って２枚巻き付ける場合にも適用可能である。この場合、各々の拘束溝は１８０°位相をずらして形成されていることから、ブランケット胴の両端側には図３及び図４に示したような引張装置を設け、ブランケット胴の中央側には、例えば拘束溝よりもやや大きな凹部を形成し、この凹部に端部を太くした紐状体を引っ掛けるようにして、紐状体の端部を固定する。
【００３２】
なお、紐状体としては、ワイヤ、ピアノ線等が挙げられ、これらに樹脂を被覆したものでもよい。
【００３３】
以上の実施例では、ブランケットを固定する場合について説明したが、刷版も同様に固定できることは自明である。
【符号の説明】
【００３４】
１０  ブランケット
１１  金属板
１１ａ  くわえ側
１１ｂ  くわえ尻側
１１ｃ  係合孔
１２  ブランケットシート
２０  ブランケット胴
２１  拘束溝
３０  引っ掛け部
３１  係合爪
４０  紐状体
５０  引張装置
５１  ドラム
５２  架台
５３  操作部
５４  つめ
５５  つめ車
６０  引張装置
６１  架台
６２  支持部材
６２ａ  支持軸
６２ｂ  支持スリーブ
６３  作動部材
６４  ナット
７０  固定ピン
【図１】
0003153030.tif 000003
【図２】
0003153030.tif 000004
【図３】
0003153030.tif 000005
【図４】
0003153030.tif 000006
【図５】
0003153030.tif 000007
【図６】
0003153030.tif 000008
【図７】
0003153030.tif 000009
【図８】
0003153030.tif 000010
【図９】
0003153030.tif 000011
【図１０】
0003153030.tif 000012
【図１１】
0003153030.tif 000013